(57)【特許請求の範囲】
【請求項１】
携帯電話本体と、
前記携帯電話本体の両端側に軸着された腕環部材とを備え、
前記腕環部材が、
前記携帯電話本体の一端側に軸着された腕環部材本体と、
前記腕環部材本体と前記携帯電話本体の他端側の間に連結された長さ調整機構とを備え、
前記長さ調整機構が、
前記腕環部材本体の他端側に軸着された裏板部材と、
前記裏板部材の他端側に、その一端側が軸着されるとともに、その他端側が前記携帯電話本体の他端側に軸着された中板部材とを備えるとともに、
前記中板部材を、前記携帯電話本体との軸着部を中心に内側に回動させて、前記携帯電話本体の裏側面に添着するとともに、前記裏板部材を、前記中板部材との間の軸着部を中心に回動させて、前記中板部材に添着した状態にした折曲状態と、
前記中板部材と裏板部材とを、略直線上に位置させた伸張状態との間で、前記腕環部材の長さを調整できるように構成され、
前記裏板部材には、前記折曲状態で、前記中板部材を収納する中板部材収納用開口部が形成されているとともに、
前記中板部材には、前記折曲状態で、前記携帯電話本体に裏面に突設した突設部を収容する突設部収納用開口部が形成されていることを特徴とする腕携帯電話。
【請求項２】
前記裏板部材には、前記折曲状態で、前記裏板部材を、前記中板部材に係止する係止部材が形成されていることを特徴とする請求項１に記載の腕携帯電話。
【請求項３】
前記腕環部材本体が、
前記携帯電話本体の一端側に軸着された第１のバンド部材と、
前記第１のバンド部材の他端側に連結されたマイクロフォン部と、
前記マイクロフォン部の他端側と前記長さ調整機構との間に連結された第２のバンド部
材とを備えることを特徴とする請求項１から２のいずれかに記載の腕携帯電話。
【請求項４】
前記第１のバンド部材には、前記携帯電話本体とマイクロフォン部とを電気的に接続するリード線部が形成されていることを特徴とする請求項３に記載の腕携帯電話。
【請求項５】
前記マイクロフォン部が、第１のバンド部材と第２のバンド部材との間でガイド部材に沿って、位置移動自在なマイクロフォン本体を備えることを特徴とする請求項３から４のいずれかに記載の腕携帯電話。
【請求項６】
前記第２のバンド部材には、一定間隔離間して形成された軸着用孔が形成されており、これらの軸着用孔の間で切断することにより、第２のバンド部材の長さを調整できるように構成されていることを特徴とする請求項３から５のいずれかに記載の腕携帯電話。
【請求項７】
前記第２のバンド部材には、前記軸着用孔の間に切断指示用溝部が形成されていることを特徴とする請求項６に記載の腕携帯電話。
【発明の詳細な説明】
【０００１】
【発明の属する技術分野】
本発明は、腕（手首）に装着することによって、携帯に極めて便利な腕携帯電話に関する。
【０００２】
【従来の技術】
従来の携帯電話は、いずれも手で把持して、耳元にスピーカ部を配置するとともに、マイクロフォン部を口元に配置して会話するように構成した略矩形箱形状の構成である。
【０００３】
【発明が解決しようとする課題】
しかしながら、このような手で把持する方式の箱形状の携帯電話では、ある程度の嵩張りを有するため、不使用時には、鞄の中や、ポケットの中や、携帯電話専用のベルト着用式のケース内に収納して運搬せざるを得ず、例えば、海、山などの行楽の際に携帯するには、まだまだその携帯性に欠けることとなっている。
【０００４】
ところで、近時のエレクトロニクス産業の発達に伴い、携帯電話の分野においても、例えば、CSP（Chip Size Package）、BGA(Ball Grid Array)に代表されるようなＩＣ実装方式の小型化、液晶画面の小型化などによって、小型化、軽量化、高機能化が実現されるようになっている。このため、携帯電話においても、その携帯電話本体部を腕時計と概略同じサイズにまで、小型化することが可能になっている。
【０００５】
そのためこれを腕時計のように、腕（手首）に装着することによって、携帯に極めて便利な腕携帯電話にすることが考えられる。
この場合、従来より、腕時計の分野においては、その腕環部材の長さを調節して、使用者の手首に腕時計を装着するのを容易にする方式として、下記のような方式が一般的に使用されている。
【０００６】
すなわち、その一つは、いわゆる「ベルトバンド方式」であり、この腕時計では、腕時計本体と、腕時計本体に連結された腕環部材を備えている。この腕環部材は、バックル部材を備えた第１のベルト部材と、バックル部材の係合ピンに係合可能な複数の係合孔が穿設された第２のベルト部材から構成されている。そして、このバックル部材の係合ピンを、第２のベルト部材の係合孔に選択的に係合することによって、腕環部材の長さを調節できるようにした構成である。
【０００７】
また、別の方式としては、図８に示したいわゆる「三折れ中留め方式」と呼ばれるものであり、この腕時計１００では、腕時計本体（図示せず）と、腕時計本体に連結された環状の腕環部材１０２を備えている。この腕環部材１０２は、腕時計本体の両端に軸着された第１のベルト部材１０４と、第２のベルト部材１０６と、これらの第１のベルト部材１０４と第２のベルト部材１０６との間に連結された三折れ中留め部１０８とから構成されている。
また、この三折れ中留め部１０８は、第１のベルト部材１０４に軸着された裏板部材１１０と、裏板部材１１０に軸着された中板部材１１２と、中板部材１１２と第２のベルト部材１０６に軸着された表カバー部材１１４とから構成されている。そして、図８に示したように、中板部材１１２と裏板部材１１０を回動軸を中心に回動させて、折曲することによって、表カバー部材１１４に係止することによって、腕環部材の長さを調節できるようにした構成である。
【０００８】
しかしながら、これらのいずれの方式も、上記したような腕携帯電話には適用することは不可能である。すなわち、腕携帯電話では、携帯電話本体とは別体のマイクロフォンを、手首の掌側の位置に、すなわち、上記の腕時計のバックル部材の位置、または三折れ中留め部１０８の位置（特に表カバー部材１１４の位置）に、マイクロフォンを配置する必要があるため、このようなベルトバンド方式、三折れ中留め方式を採用することは不可能である。
【０００９】
本発明は、このような現状を考慮して、腕時計のように、腕（手首）に装着することによって、携帯に極めて便利な腕携帯電話であって、その腕環部材の長さを調節して、使用者の手首に装着するのが容易であり、しかも、マイクロフォンを、使用者の手首の掌側の位置に配置することの可能な腕携帯電話を提供することを目的とする。
【００１０】
【課題を解決するための手段】
本発明は、前述したような従来技術における課題及び目的を達成するために発明なされたものであって、本発明の腕携帯電話は、
携帯電話本体と、
前記携帯電話本体の両端側に軸着された腕環部材とを備え、
前記腕環部材が、
前記携帯電話本体の一端側に軸着された腕環部材本体と、
前記腕環部材本体と前記携帯電話本体の他端側の間に連結された長さ調整機構とを備え、
前記長さ調整機構が、
前記腕環部材本体の他端側に軸着された裏板部材と、
前記裏板部材の他端側に、その一端側が軸着されるとともに、その他端側が前記携帯電話本体の他端側に軸着された中板部材とを備えるとともに、
前記中板部材を、前記携帯電話本体との軸着部を中心に内側に回動させて、前記携帯電話本体の裏側面に添着するとともに、前記裏板部材を、前記中板部材との間の軸着部を中心に回動させて、前記中板部材に添着した状態にした折曲状態と、
前記中板部材と裏板部材とを、略直線上に位置させた伸張状態との間で、前記腕環部材の長さを調整できるように構成され、
前記裏板部材には、前記折曲状態で、前記中板部材を収納する中板部材収納用開口部が形成されているとともに、
前記中板部材には、前記折曲状態で、前記携帯電話本体に裏面に突設した突設部を収容する突設部収納用開口部が形成されていることを特徴とする。
【００１１】
このように裏板部材と中板部材とからなる長さ調整機構を、携帯電話本体の他端側に連結することによって、携帯電話本体の裏面側で、中板部材と裏板部材を折曲状態として、腕環部材の長さを短くすることができる。また、中板部材と裏板部材とを略直線上に位置させた伸張状態して、腕環部材の長さを短くすることができる。
【００１２】
従って、これらの折曲状態と伸張状態との間で、腕環部材の長さを自由に調整できるので、使用者の手首に装着するのが極めて容易である。
しかも、使用者の手首の掌側の位置には、長さ調整機構が存在しないので、手首の掌側の位置に、マイクロフォンを配置する場合に邪魔にならない。
また、このように構成することによって、携帯電話本体の裏面側に突設部を有する場合でも、この突設部が、中板部材に形成された突設部収納用開口部内に収容されることにる。従って、折曲状態で携帯電話本体の裏側面に中板部材と裏板部材とを添着した状態で、突設部と手首の甲とが直接接触するので、例えば、手首を通じて、掌、指を、アンテナ、スピーカの代わりに使用することができるるとともに、凹凸を生じることがなく平坦な状態となり、使用者の手首に装着した状態で、使用者の手首の甲側に違和感を感じることがなく、その装着感が良好となる。
しかも、折曲状態で、携帯電話本体の裏面側の突設部が、中板部材に形成された突設部収納用開口部内に収容されることになるので、これが嵌着状態である場合には、中板部材との間でいわゆるガタツキが生じることがなく、その装着状態が良好である。
【００１３】
このように構成することによって、折曲状態で、裏板部材の中板部材収納用開口部内に中板部材が収納されることになるので、折曲状態では、中板部材と裏板部材とが、携帯電話本体の裏側面に添着した状態で、凹凸を生じることがなく平坦な状態となり、しかも、中板部材と裏板部材とが上下に重なることがないので、携帯電話本体を含む全体の厚さを薄くでき、使用者の手首に装着した状態で、使用者の手首の甲側に違和感を感じることがなく、装着感、美観も極めて良好である。
【００１４】
しかも、折曲状態で、裏板部材の中板部材収納用開口部内に中板部材が収納されることになるので、これが嵌着状態である場合には、裏板部材と中板部材との間でいわゆるガタツキが生じることがなく、その装着状態が良好である。
また、本発明の腕携帯電話は、前記裏板部材には、前記折曲状態で、前記裏板部材を、前記中板部材に係止する係止部材が形成されていることを特徴とする。
【００１５】
このように折曲状態で、裏板部材に形成された係止部材によって、裏板部材を中板部材に係止できるので、使用者の手首から外れることなく確実に装着することができる。
【００１７】
また、本発明の腕携帯電話は、前記腕環部材本体が、
前記携帯電話本体の一端側に軸着された第１のバンド部材と、
前記第１のバンド部材の他端側に連結されたマイクロフォン部と、
前記マイクロフォン部の他端側と前記長さ調整機構との間に連結された第２のバンド部材とを備えることを特徴とする。
【００１８】
このように構成することによって、使用者の手首の掌側に対応する位置に、すなわち、第１のバンド部材と第２のバンド部材との間の位置に、マイクロフォンを配置することが可能となる。
また、本発明の腕携帯電話は、前記第１のバンド部材には、前記携帯電話本体とマイクロフォン部とを電気的に接続するリード線部が形成されていることを特徴とする。
【００１９】
このように構成することによって、携帯電話本体とマイクロフォン部との間の電気的な接続を、リード線部によって確実に確保することができる。
また、本発明の腕携帯電話は、前記マイクロフォン部が、第１のバンド部材と第２のバンド部材との間でガイド部材に沿って、位置移動自在なマイクロフォン本体を備えることを特徴とする。
【００２０】
このように、マイクロフォン本体が、第１のバンド部材と第２のバンド部材との間でガイド部材に沿って、位置移動自在であるので、マイクロフォン本体を正確に使用者の手首の掌側に位置させることができ、確実な通話を確保することができる。
また、本発明の腕携帯電話は、前記第２のバンド部材には、一定間隔離間して形成された軸着用孔が形成されており、これらの軸着用孔の間で切断することにより、第２のバンド部材の長さを調整できるように構成されていることを特徴とする。
【００２１】
このように構成することによって、軸着用孔の間で第２のバンド部材を切断して、切断された開放端に最も近い軸着孔に軸部材を挿入することによって、第２のバンド部材をマイクロフォン部、裏板部材に連結することによって、第２のバンド部材の長さを調整することができる。従って、前記した長さ調整機構による腕環部材の長さ調整が不十分である場合に、この第２バンド部材の長さを調整することによって、腕環部材の長さを微妙に調整することができ、腕携帯電話を使用者の手首に確実に装着することができるようになる。
【００２２】
また、本発明の腕携帯電話は、前記第２のバンド部材には、前記軸着用孔の間に切断指示用溝部が形成されていることを特徴とする。
このように軸着用孔の間に切断指示用溝部が形成されているので、第２のバンド部材を切断して第２のバンド部材の長さを調整する際に、切断による長さ調整のめやすとすることができるとともに、第２のバンド部材の厚みが切断指示用溝部で薄くなるので切断し易く、切断しすぎたり、切断が不足したりすることなく、腕環部材の長さを微妙に調整することができ、腕携帯電話を使用者の手首に確実に装着することができる。
【００２３】
【発明の実施の形態】
以下、図面を参照しながら本発明の実施の形態（実施例）について説明する。図１は、本発明の腕携帯電話の分解斜視図、図２は、図１の腕携帯電話の携帯電話本体部分の部分平面図、図３（Ａ）〜（Ｃ）は、それぞれ図１の腕携帯電話の腕環部材の一部分の上面図、断面図、および裏面図を示し、図４〜図６は、それぞれ本発明の腕携帯電話の装着状態を説明する断面図である。
【００２４】
図１〜図４に示したように、本発明の腕携帯電話１は、略矩形箱形状の携帯電話本体１０を備えている。この携帯電話本体には、図示しないが、その表面に液晶表示部、操作ボタンなどからなる表示部が形成され、その内部に通信制御部が内蔵されているとともに、その裏面側に矩形状の突設部１２が形成されている。そして、図３に示したように、この携帯電話本体１０の両端側に軸着された第１のバンド部材２０、マイクロフォン部４０、第２のバンド部材５０、ならびに長さ調整機構６０で、腕環部材２が構成されている。
【００２５】
図１および図２に示したように、携帯電話本体１０の一端側には、バンド装着用凹部１４が形成されており、このバンド装着用凹部１４の底壁１４ａに、リード装着部１４ｄが形成されている。また、バンド装着用凹部１４の側壁１４ｂには、バネ棒部材などからなる軸着部材１１を着脱自在に装着するための軸着用孔１４ｃが形成されている。
【００２６】
一方、同様に、携帯電話本体１０の他端側には、中板部材装着用凹部１６が形成されており、中板部材装着用凹部１６の側壁１６ｂには、公知のバネ棒部材などからなる軸着部材１７を着脱自在に装着するための軸着用孔１６ｃが形成されている。
携帯電話本体１０の一端側のバンド装着用凹部１４には、第１のバンド部材２０の一端側に形成された装着部２２の軸着用孔２２ａに、軸着部材１１を挿着して、軸着部材１１をバンド装着用凹部１４の側壁１４ｂに形成した軸着用孔１４ｃに装着することによって、第１のバンド部材２０が着脱自在に装着されている。
【００２７】
この際、図１及び図２に示したように、第１のバンド部材２０の装着部２２の中央部から突設したリード線２４の一端部２４ａが、バンド装着用凹部１４の底壁１４ａに形成されたリード装着部１４ｄ内に、図示しない係止機構によって装着係止されて、携帯電話本体１０に電気的に接続されるようになっている。
また、このリード線２４は、第１のバンド部材２０の幅方向中央部に長手方向に、その一部が第１のバンド部材２０の外面に突出するように形成されたリード線部２６内に収容されており、その他端部が、後述するマイクロフォン部４０のマイクロフォン本体４８に電気的に接続されるようになっている。
【００２８】
なお、図３（Ｃ）に示したように、第１のバンド部材２０には、その内側に、すなわち、手首側の表面に、一定間隔離間して、折曲用の溝部２８が形成されており、これにより、第１のバンド部材２０を装着者の手首の外周に沿って、湾曲できるようになっている。なお、この溝部２８の形状、寸法、形成間隔については特に限定されるものではなく、例えば、断面、半円形状の溝、断面楔状の溝などが採用可能である。
【００２９】
なお、この場合、第１のバンド部材２０の材質は、特に限定されるものではなく、従来からバンド部材として使用されている、例えば、ポリエチレン、ポリプロピレン、ポリエチレンテレフタレート、塩化ビニルなどの合成樹脂、ゴム、皮革、布、ステンレス鋼などの金属などが使用できる。
さらに、第１のバンド部材２０の他端側２１には、マイクロフォン部４０が連結されている。
【００３０】
このマイクロフォン部４０は、図３に示したように、第１のバンド部材２０の他端側２１に連結するための第１の連結部材４２と、第２のバンド部材５０に接続するための第２の連結部材４４と、これらの第１の連結部材４２と第２のバンド部材５０との間に差し渡された一対のガイド部材４６と、これらのガイド部材４６に沿って、位置移動自在なマイクロフォン本体４８を備えている。
【００３１】
この第１の連結部材４２には、係止用突設部４２ａが突設されており、これを第１のバンド部材２０の他端側２１に形成された係合用溝部２８ａに挿着して、係止ネジピン１３で係止することによって、第１の連結部材４２を第１のバンド部材２０の他端側２１に連結するように構成されている。
また、第１の連結部材４２には、第１のバンド部材２０のリード線部２６に対応する位置に、リード線部４２ｂが形成されており、このリード線部４２ｂの先端からリード線２４が突出して、マイクロフォン本体４８に電気的に接続されている。
【００３２】
また、第１の連結部材４２には、ワイヤ形状の一対のガイド部材４６の一端側が挿着され、第１の連結部材４２の側部からネジピンなどの係止部材４１で係止されている。同様に、第２の連結部材４４には、ガイド部材４６の他端側が挿着され、第２の連結部材４４の側部からネジピンなどの係止部材４３で係止されている。
【００３３】
そして、これらのガイド部材４６には、マイクロフォン本体４８が、そのガイド部材摺動孔４８ａを介して挿着され、これらのガイド部材４６に沿って、マイクロフォン本体４８を摺動させることによって位置移動自在な構成となっている。なお、図示しないが、マイクロフォン本体４８には、マイクロフォン本体４８をガイド部材４６の適切な位置で係止するストッパ機構を備えていてもよい。
【００３４】
一方、第２の連結部材４４には、第２のバンド部材５０の一端側に形成された装着部５２の軸着用孔５４に、バネ棒などの軸着部材１５を挿着して、軸着部材１５を、第２の連結部材４４の側壁４４ａに形成した軸着用孔４４ｃに装着することによって、第２のバンド部材５０が着脱自在に装着されている。
第２のバンド部材５０には、図３に示したように、その装着部５２の軸着用孔５４と同様な複数個の軸着用孔５４が、第２のバンド部材５０の長手方向に一定間隔離間して形成されているとともに、これらの軸着用孔５４の間には、第２のバンド部材５０の内側、すなわち、手首側の表面に、一定間隔離間して複数個の切断指示用溝部５６が形成されている。
【００３５】
このように構成することによって、軸着用孔５４の間で第２のバンド部材５０を切断して、切断された開放端に最も近い軸着用孔５４に軸部材１５を挿入することによって、第２のバンド部材５０をマイクロフォン部４０の第２の連結部材４４に連結することによって、第２のバンド部材５０の長さを調整することができるようになっている。
【００３６】
また、軸着用孔５４の間に切断指示用溝部５６が形成されているので、第２のバンド部材５０を切断して第２のバンド部材５０の長さを調整する際に、切断による長さ調整のめやすとすることができるとともに、第２のバンド部材５０の厚みが切断指示用溝部５６で薄くなるので切断し易く、切断しすぎたり、切断が不足したりすることなく、腕環部材２の長さを微妙に調整することができる。
【００３７】
従って、長さ調整機構６０による腕環部材２の長さ調整が不十分である場合に、この第２バンド部材５０の長さを調整することによって、腕環部材２の長さを微妙に調整することができ、腕携帯電話を使用者の手首に確実に装着することができるようになる。
この場合、軸着用孔５４の間の離間距離、ならびに、切断指示用溝部５６の形状、寸法、形成間隔については特に限定されるものではなく、例えば、断面、半円形状の溝、断面楔状の溝などが採用可能である。
【００３８】
また、第２のバンド部材５０としては、切断可能な材料から構成されていればよく、特に限定されるものではなく、従来からバンド部材として使用されている、例えば、ポリエチレン、ポリプロピレン、ポリエチレンテレフタレート、塩化ビニルなどの合成樹脂、ゴム、皮革、布、ステンレス鋼などの金属などが使用できる。
【００３９】
なお、この実施例の場合には、軸着用孔５４及び切断指示用溝部５６を、第２のバンド部材５０の装着部５２の近傍に設けたが、これらを第２のバンド部材５０の長手方向全体にわたって形成したり、第２のバンド部材５０の装着部５２、５８の近傍にのみ形成することにより、第２のバンド部材５０を切断して、マイクロフォン部４０の第２の連結部材４４、長さ調整機構６０の裏板部材６２に連結するようにすることもできる。さらに、軸着用孔５４及び切断指示用溝部５６を、いずれかの装着部５２、５８の近傍にのみ形成することもできる。
【００４０】
さらに、第２バンド部材５０の他端側には、装着部５８が形成されており、装着部５８に形成された軸着用孔５４に、バネ棒などからなる軸着部材１７を挿着して、軸着部材１７を、長さ調整機構６０の裏板部材６２に突設した軸着部６２ａの軸着用孔６２ｂに装着することによって、第２のバンド部材５０が、長さ調整機構６０の裏板部材６２に着脱自在に装着されている。
【００４１】
長さ調整機構６０は、図１及び図４に示したように、第２のバンド部材５０の他端側に軸着された裏板部材６２と、裏板部材の他端側に、その一端側が軸着されるとともに、その他端側が携帯電話本体１０の他端側に軸着された中板部材６４とを備えている。
裏板部材６２は、略矩形の枠形状であって、その一端側には、前述したように、軸着部６２ａが突設されており、第２のバンド部材５０の他端側の装着部５８が軸着されている。
【００４２】
そして、裏板部材６２の他端側には、リンク軸部６２ｃが形成されており、このリンク軸部６２ｃを、中板部材６４の一端側に突設したリンク接続部６４ａに形成された軸着用孔６４ｂ内に装着することによって、裏板部材６２と中板部材６４とが相互に回動可能に軸着されてリンク連結されている。
一方、中板部材６４も、略矩形の枠形状であって、その一端側には、前述したようなリンク接続部６４ａが形成されるとともに、その他端側には、携帯電話本体１０の他端側に形成された中板部材装着用凹部１６に装着するための一対の装着部６４ｄが突設されている。
【００４３】
この装着部６４ｄに形成された軸着用孔６４ｃに、バネ棒などからなる軸着部材１７を挿着して、軸着部材１７を、携帯電話本体１０の中板部材装着用凹部１６の側壁１６ｂに形成された軸着用孔１６ｃに装着することによって、中板部材６４が、携帯電話本体１０の他端側の中板部材装着用凹部１６に着脱自在に軸着されている。
【００４４】
また、裏板部材６２の中央の開口部が、中板部材収納用開口部６１を構成しており、この中板部材収納用開口部６１内に、図６に示した折曲状態で、中板部材６４を収納するように形成されている。
このように構成することによって、折曲状態で、裏板部材６２の中板部材収納用開口部６１内に中板部材６４が収納されることになるので、折曲状態では、中板部材６４と裏板部材６２とが、携帯電話本体１０の裏側面に添着した状態で凹凸を生じることがなく平坦な状態となり、しかも、中板部材６４と裏板部材６２とが上下に重なることがないので、携帯電話本体１０を含む全体の厚さを薄くでき、使用者の手首に装着した状態で、使用者の手首の甲側に違和感を感じることがなく、装着感、美観も極めて良好である。
【００４５】
この場合、中板部材収納用開口部６１の形状、寸法としては、中板部材６４の外形に合致した形状として、中板部材６４の外形と同じか、または僅かに小さい形状として、中板部材収納用開口部６１内に中板部材６４を嵌合するようにするのが望ましい。これにより、裏板部材６２と中板部材６４との間でいわゆるガタツキが生じることがなく、その装着状態が良好となる。
【００４６】
また、図７に示したように、裏板部材６２に突設した軸着部６２ｂの近傍には、中板部材６４の装着部６４ｄの近傍の中板部材６４を収容する中板部材収容凹溝６２ｅが形成されている。この場合、この中板部材収容凹溝６２ｅの溝深さＬは、装着部６４ｄの近傍の中板部材６４の厚さＬと略等しく、これにより、中板部材６４が、裏板部材６２の軸着部６２ｂの近傍の中板部材収容凹溝６２ｅ内に嵌合して、中板部材６４と裏板部材６２とが上下に重なることがなく、しかも、裏板部材６２と中板部材６４との間でいわゆるガタツキが生じることがなく、その、美観、装着状態とも良好となる。
【００４７】
また、裏板部材６２の軸着部６２ａの内側には、折曲状態で、裏板部材６２を、中板部材６４の装着部６４ｄに装着した軸着部材１７に係止する係止爪部材６６が形成されている。
このように折曲状態で、裏板部材６２に形成された係止爪部材６６によって、裏板部材６２を中板部材６４に係止できるので、使用者の手首から外れることなく確実に装着することができる。
【００４８】
また、中板部材６４には、折曲状態で、携帯電話本体１０の裏面に突設した突設部１２を収容する突設部収納用開口部６３が形成されている。
このように構成することによって、携帯電話本体１０の裏面側に突設部１２を有する場合でも、この突設部１２が、中板部材６４に形成された突設部収納用開口部６３内に収容されることにる。従って、折曲状態で携帯電話本体１０の裏側面に中板部材６４と裏板部材６２とを添着した状態で凹凸を生じることがなく平坦な状態となり、使用者の手首に装着した状態で、使用者の手首の甲側に違和感を感じることがなく、その装着感が良好となる。
【００４９】
しかも、折曲状態で、携帯電話本体１０の裏面側の突設部１２が、中板部材６４に形成された突設部収納用開口部６３内に収容されることになるので、これが嵌着状態である場合には、中板部材６４との間でいわゆるガタツキが生じることがなく、その装着状態が良好となる。
この場合、突設部収納用開口部６３の形状、寸法としては、携帯電話本体１０の突設部１２の外形に合致した形状として、突設部１２の外形と同じか、または僅かに大きい形状として、中板部材収納用開口部６１内に中板部材６４を嵌合するようにするのが望ましい。これにより、裏板部材と中板部材との間でいわゆるガタツキが生じることがなく、その装着状態が良好となる。
【００５０】
なお、裏板部材６２の中板部材収納用開口部６１内に中板部材６４が収納されるとともに、携帯電話本体１０の裏面側の突設部１２が、中板部材６４に形成された突設部収納用開口部６３内に収容された状態では、図６に示したように、突設部１２が僅かに手首側に突設するようにすればよい。これによって、突設部１２と手首の甲とが直接接触することになるので、例えば、その詳細な機構は、特に本明細書では説明しないが、手首を通じて、掌、指を、アンテナ、スピーカの代わりに使用することができる。
【００５１】
このように構成された本発明の腕携帯電話１は、図４〜図６に示したように使用すればよい。
すなわち、使用者の手首に装着した状態では、図６に示したように、中板部材６４を、携帯電話本体１０との軸着部材１７を中心に内側に回動させて、携帯電話本体１０の裏側面に添着するとともに、裏板部材６２を、中板部材６４との間の軸着部６２ｃを中心に回動させて、中板部材６４に添着した状態にした折曲状態とすることによって、腕環部材２の長さを最も短くして装着することができる。
【００５２】
この際、裏板部材６２の中板部材収納用開口部６１内に中板部材６４が収納されるとともに、携帯電話本体１０の裏面側の突設部１２が、中板部材６４に形成された突設部収納用開口部６３内に収容されることになる。
従って、このような折曲状態では、携帯電話本体１０の裏側面に中板部材６４と裏板部材６２とを添着した状態で凹凸を生じることがなく平坦な状態となり、しかも、中板部材と裏板部材とが上下に重なることがないので、携帯電話本体を含む全体の厚さを薄くでき、使用者の手首に装着した状態で、使用者の手首の甲側に違和感を感じることがなく、装着感、美観も極めて良好である。
【００５３】
さらに、この状態で、裏板部材６２に形成された係止爪部材６６によって、裏板部材６２を中板部材６４に係止できるので、使用者の手首から外れることなく確実に装着することができる。
この状態で、ガイド部材４６に沿って、マイクロフォン本体４８を摺動させることによって適切な位置で係止して、マイクロフォン本体４８を正確に使用者の手首の掌側に位置させ、確実な通話を確保するようにする。
【００５４】
また、この際、長さ調整機構６０による腕環部材２の長さ調整が不十分である場合には、第２のバンド部材５０を切断指示用溝部５６を長さ調整のめやすとして、軸着用孔５４の間で切断して、切断された開放端に最も近い軸着用孔５４に軸部材１５を挿入することによって、第２バンド部材５０の長さを調整することによって、腕環部材２の長さを微妙に調整すればよい。
【００５５】
本明細書では、具体的な機構については説明しないが、この状態で、手の指先を耳の孔に挿入するとともに、マイクロフォン本体４８に向かって喋ることによって、リード線２４を介して、電気信号が携帯電話本体１０内に導入され、相手に発信されるとともに、相手の声が携帯電話本体１０の突設部１２を介して、手首を通じて、掌、指先から、スピーカの代わりに使用して、使用者の耳に直接聞こえることができるようになっている。
【００５６】
一方、使用者の手首に装着する際、または取り外す際には、図４及び図５に示したように、中板部材６４と裏板部材６２とを、略直線上に位置させた伸張状態として、腕環部材２の長さを最も長くして、使用者の手首に腕環部材２を挿通することができる。
以上、本発明の好ましい実施の態様を説明したが、本発明はこれに限定されるものではなく、例えば、上記実施例では、裏板部材６２、中板部材６４を略矩形枠状に形成したが、これを携帯電話本体１０および突設部１２の形状に合わせて、例えば、円形枠状、楕円形枠状などとするなど本発明の目的を逸脱しない範囲で種々の変更が可能である。
【００５７】
【発明の効果】
本発明によれば、裏板部材と中板部材とからなる長さ調整機構を、携帯電話本体の他端側に連結することによって、携帯電話本体の裏面側で、中板部材と裏板部材を折曲状態として、腕環部材の長さを短くすることができる。また、中板部材と裏板部材とを略直線上に位置させた伸張状態して、腕環部材の長さを長くすることができる。
【００５８】
従って、これらの折曲状態と伸張状態との間で、腕環部材の長さを自由に調整できるので、使用者の手首に装着するのが極めて容易である。
しかも、使用者の手首の掌側の位置には、長さ調整機構が存在しないので、手首の掌側の位置に、マイクロフォンを配置する場合に邪魔にならない。
また、本発明によれば、折曲状態で、裏板部材の中板部材収納用開口部内に中板部材が収納されることになるので、折曲状態では、中板部材と裏板部材とが、携帯電話本体の裏側面に添着した状態で凹凸を生じることがなく平坦な状態となり、しかも、中板部材と裏板部材とが上下に重なることがないので、携帯電話本体を含む全体の厚さを薄くでき、使用者の手首に装着した状態で、使用者の手首の甲側に違和感を感じることがなく、装着感、美観も極めて良好となる。
【００５９】
しかも、折曲状態で、裏板部材の中板部材収納用開口部内に中板部材が収納されることになるので、これが嵌着状態である場合には、裏板部材と中板部材との間でいわゆるガタツキが生じることがなく、その装着状態が良好である。
また、本発明によれば、携帯電話本体の裏面側に突設部を有する場合でも、この突設部が、中板部材に形成された突設部収納用開口部内に収容されることになる。
従って、折曲状態で携帯電話本体の裏側面に中板部材と裏板部材とを添着した状態で、突設部と手首の甲とが直接接触するので、例えば、手首を通じて、掌、指を、アンテナ、スピーカの代わりに使用することができるとともに、凹凸を生じることがなく平坦な状態となり、使用者の手首に装着した状態で、使用者の手首の甲側に違和感を感じることがな
く、その装着感が良好となる。
【００６０】
しかも、折曲状態で、携帯電話本体の裏面側の突設部が、中板部材に形成された突設部収納用開口部内に収容されることになるので、これが嵌着状態である場合には、中板部材との間でいわゆるガタツキが生じることがなく、その装着状態が良好である。
また、本発明によれば、使用者の手首の掌側に対応する位置に、すなわち、第１のバンド部材と第２のバンド部材との間の位置に、マイクロフォンを配置することが可能となる。しかも、マイクロフォン本体が、第１のバンド部材と第２のバンド部材との間でガイド部材に沿って、位置移動自在であるので、マイクロフォン本体を正確に使用者の手首の掌側に位置させることができ、確実な通話を確保することができる。
【００６１】
また、本発明によれば、軸着用孔の間で第２のバンド部材を切断して、軸着用孔に軸部材を挿入することによって、第２のバンド部材をマイクロフォン部、裏板部材に連結することによって、第２のバンド部材の長さを調整することができる。従って、前記した長さ調整機構による腕環部材の長さ調整が不十分である場合に、この第２バンド部材の長さを調整することによって、腕環部材の長さを微妙に調整することができ、腕携帯電話を使用者の手首に確実に装着することができるようになる。
【００６２】
さらに、本発明によれば、軸着用孔の間に切断指示用溝部が形成されているので、第２のバンド部材を切断して第２のバンド部材の長さを調整する際に、切断による長さ調整のめやすとすることができるとともに、第２のバンド部材の厚みが切断指示用溝部で薄くなるので切断し易く、切断しすぎたり、切断が不足したりすることなく、腕環部材の長さを微妙に調整することができ、腕携帯電話を使用者の手首に確実に装着することができるなどの幾多の作用効果を奏する極めて優れた発明である。
【図面の簡単な説明】
【図１】図１は、本発明の腕携帯電話の分解斜視図である。
【図２】図２は、図１の腕携帯電話の携帯電話本体部分の部分平面図である。
【図３】図３（Ａ）〜（Ｃ）は、それぞれ図１の腕携帯電話の腕環部材の一部分の上面図、断面図、および裏面図である。
【図４】図４は、本発明の腕携帯電話の装着状態を説明する断面図である。
【図５】図５は、本発明の腕携帯電話の装着状態を説明する断面図である。
【図６】図６は、本発明の腕携帯電話の装着状態を説明する断面図である。
【図７】図７は、本発明の腕携帯電話の長さ調整機構の折曲状態を説明する部分拡大斜視図である。
【図８】図８は、従来の腕時計における三折れ中留め方式の腕時計装着方法を説明する斜視図である。
【符号の説明】
１    腕携帯電話
２    腕環部材
１０  携帯電話本体
１１  軸着部材
１２  突設部
１３  係止ネジピン
１４  バンド装着用凹部
１４ａ      底壁
１４ｂ      側壁
１４ｃ      軸着用孔
１４ｄ      リード装着部
１５  軸着部材
１６  中板部材装着用凹部
１６ｂ      側壁
１６ｃ      軸着用孔
１７  軸着部材
２０  第１のバンド部材
２２  装着部
２２ａ      軸着用孔
２４  リード線
２６  リード線部
２８ａ      係合用溝部
２８  溝部
４０  マイクロフォン部
４１  係止部材
４２  連結部材
４２ａ      係止用突設部
４２ｂ      リード線部
４３  係止部材
４４  連結部材
４４ａ      側壁
４４ｃ      軸着用孔
４６  ガイド部材
４６  マイクロフォン本体
４８ａ      ガイド部材摺動孔
４８  マイクロフォン本体
５０  第２のバンド部材
５２  装着部
５４  軸着用孔
５６  切断指示用溝部
５８  装着部
６０  長さ調整機構
６１  中板部材収納用開口部
６２  裏板部材
６２ｃ      リンク軸部
６２ａ      軸着部
６２ｂ      軸着用孔
６２ｃ      軸着部
６３  突設部収納用開口部
６４  中板部材
６４ａ      リンク接続部
６４ｂ      軸着用孔
６４ｃ      軸着用孔
６４ｄ      装着部
６６  係止爪部材
１００      腕時計
１０１      腕時計本体
１０２      腕環部材
１０４      ベルト部材
１０６      ベルト部材
１１０      裏板部材
１１２      中板部材
１１４      表カバー部材
【図１】
0003803238.tif 000002
【図２】
0003803238.tif 000003
【図３】
0003803238.tif 000004
【図４】
0003803238.tif 000005
【図５】
0003803238.tif 000006
【図６】
0003803238.tif 000007
【図７】
0003803238.tif 000008
【図８】
0003803238.tif 000009